(57)【要約】【課題】操作が便利で往復して向きを変えることができるラチェットレンチを提供する。【解決手段】固定顎１はネジ棒３が収納可能な収納槽１１を有し、第１スプリング３２はネジ棒と収納槽の内壁との間に設けられている。シャフトバー４は第１スプリングとネジ棒を貫通し、シャフトバー４上にピン５２を係止するストッパー部４２が形成されている。ピン５２の末端には作動部５２１が凸設され、作動部５２１は操作部材７のＶ字型当接面７１と互いに当接している。このようなラチェットレンチでは、操作部材７の一端を押圧すると、Ｖ字型当接面７１はピン５２の作動部５２１に当接することができ、ピン５２を移動させてシャフトバー４のストッパー部４２から離脱させると、逆方向にラチェットレンチの向きを変えることができ、素早く締め付け動作が行える。【選択図】  図１
0003155107.tif 000002
【実用新案登録請求の範囲】
【請求項１】
収納槽を有する固定顎であって、前記収納槽の上方には前記収納槽に通じるスライドを備え、前記収納槽の一側は横方向に挿通孔を貫設すると共に、前記挿通孔内に孔を半径方向に貫設し、前記収納槽の下方には貫通孔を開設し、また前記固定顎は前記孔と異なる一側に補助孔を横方向に設け、前記孔と前記補助孔はそれぞれ前記貫通孔と連通するものと、
前記固定顎のスライド内に設けられて前記スライドに沿って横に移動することができる可動顎であって、前記可動顎と前記固定顎の間に間隔が変更可能な挟持口を形成し、可動顎の底部には歯部を形成するものと、
前記固体顎の収納槽内に設けられたネジ棒であって、前記ネジ棒は雄ネジ領域を有し、前記ネジ棒の雄ネジ領域は前記可動顎底部の歯部と互いに噛合して、前記ネジ棒と前記収納槽の内壁との間に第１スプリングを設けるものと、
前記挿通孔から前記第１スプリングと前記ネジ棒を貫通するシャフトバーであって、前記ネジ棒で前記第１スプリングを圧縮して横方向移動させ、しかも前記シャフトバーは前記孔に対向する位置にストッパー部を凹状に形成するものと、
前記孔内に設置された位置決めセットであって、前記位置決めセットは第２スプリングとピンを含み、前記第２スプリングは前記孔の底部に設けて前記ピンの末端に当接させ、前記ピンの頂端は前記シャフトバーのストッパー部内に係止されて互いに係止状態を構成することができ、前記ピンの末端の前記貫通孔方向の一側に作動部を凸設するものと、
前記補助孔内に設けた当接セットであって、前記当接セットは順番に当接部材、第３スプリング及びネジキャップを含み、前記当接部材は前記第３スプリングに当接されて前記貫通孔方向に延設するものと、
前記貫通孔内に設けた操作部材であって、前記貫通孔と互いに対応するように組合せ、前記操作部材の両端はそれぞれ前記貫通孔の外部に突出させ、前記操作部材は前記ピンの作動部に対向する位置に第１Ｖ字型当接面を形成し、また前記操作部材の前記当接部材に対向する位置に第２Ｖ字型当接面を形成し、前記作動部と前記当接部材はそれぞれ前記各Ｖ字型当接面の中央転換点に当接し、前記操作部材のうちの一端を押圧すると、前記各Ｖ字型当接面はそれぞれ前記ピンの作動部と前記当接部材に当接して移動させ、前記ピンの頂端を前記シャフトバーのストッパー部から離脱させて前記シャフトバーに対する係止状態を解除することができるものと、
を備えることを特徴とするラチェットレンチ。
【請求項２】
前記シャフトバーは前記挿通孔から前記第１スプリングと前記ネジ棒を貫通し、係止リングで係止して前記ネジ棒と連接し、前記シャフトバーは前記可動顎の歯部方向の一側に当接面を有し、前記当接面はストッパー部材と互いに当接して前記シャフトバーが前記ネジ棒に伴って回転するのを制限することを特徴とする請求項1に記載のラチェットレンチ。
【請求項３】
前記操作部材の各Ｖ字型当接面はそれぞれ第１傾斜領域と第２傾斜領域を有し、前記作動部と前記当接部材はそれぞれ前記各Ｖ字型当接面の第１傾斜領域と第２傾斜領域の中央転換点に当接し、前記操作部材のうちの一端を押圧して、前記各Ｖ字型当接面はそのうちの１つの傾斜領域で前記ピンの作動部と前記当接部材に当接して移動させることを特徴とする請求項1に記載のラチェットレンチ。
【考案の詳細な説明】
【技術分野】
【０００１】
本考案はレンチに関し、特にラチェット機能を具えたラチェットレンチに関する。
【背景技術】
【０００２】
一般にレンチを使用する際、まずそのローラを調整して固定顎と可動顎との間の挟持口をナットの寸法に合わせないと、締め付けまたは緩め作業を行うことができない。
【０００３】
このようなレンチでは、スペースが制限された場合、通常レンチのハンドルを引き続き同じ方向に回転させて素早く作業を完了させることができない。また、ローラを若干緩めて挟持口を広げ、ナットの別の２つの対向する挟持面を嵌め込まないと、引き続いて回動させることができない。しかしながら、こうした反復操作は明らかに不便である。
【０００４】
上記のレンチの欠点を改善するために、市場では図７に示すようなラチェット機能を具えたレンチが登場している。それは、主にユーザーが握るハンドル９６を具え、ハンドル９６の一端には固定顎９８を有し、固定顎９８の一側に可動顎９２が設けられている。可動顎９２はローラ９１と噛合し、可動顎９２は移動させられる。ローラ９１は圧縮スプリング９４に当接されており、可動顎９２の局部が往復移動する弾力を提供する。ハンドル９６の中央部には弧状の弾性片９５が設けられている。弾性片９５の一端はハンドル９６にしっかりと固定され、他端の底部には凸部９５１を有してスプリングロック９３に連結している。スプリングロック９３の一端はローラ９１の一側に延伸させて当接部９３１を形成し、ローラ９１の移動をブロックして固定顎９８と可動顎９２との間の開口を固定して回動作業をし易くする。ハンドル９６中央部の弾性片９５を押し下げると、スプリングロック９３の当接部９３１のローラ９１に対するブロックが解除されて、可動顎９２は自由に移動することができ、レンチの向きを転じる際の操作をし易くする。
【考案の概要】
【考案が解決しようとする課題】
【０００５】
然しながら、上記のレンチには構造設計の欠陥により、実際に使用すると、操作できなかったり誤って触れたり等の問題を引き起こす虞がある。具体的にいうと、図８に示す様に、レンチの弾性片９５とハンドル９６の側面との間にはっきりと露出した狭く細長いスペース９７があるが、長期間使用するとこの箇所に作業場の埃や夾雑物が堆積して弾性片９５が引っ掛かり効果的に押圧できなくなり、操作不能という問題を引き起こす。
【０００６】
また図７、８に示すように、弾性片９５とスプリングロック９３は細長く薄いプレート設計で、何れもレンチの表面に露出している。このため、外力によって衝撃を受けると、弾性片９５やスプリングロック９３が変形し易く、一旦弾性片９５やスプリングロック９３が変形すると、操作不能という問題を引き起こす。
【０００７】
また、弾性片９５はハンドル９６の側面にあるため、施工環境によってレンチを反転して使用しなければならない場合、必然的に弾性片９５を押圧し難い状況が発生する。
【０００８】
本考案の目的の一つは、操作が便利でしかも往復して向きを変えることができるラチェットレンチを提供することにある。
【０００９】
本考案の目的の二つ目は、両面での操作が可能で、実用性を大幅に高めたラチェットレンチを提供することにある。
【課題を解決するための手段】
【００１０】
上記の目的を達するために本考案は、主に固定顎、可動顎、ネジ棒、シャフトバー、位置決めセット、当接セット及び操作部材を備える。収納槽を有する固定顎は、前記収納槽の上方には前記収納槽に通じるスライドを備える。前記収納槽の下方には貫通孔が開設されている。可動顎は、前記固定顎のスライド内に設けられて前記スライドに沿って横に移動することができ、可動顎の底部には歯部が形成されている。ネジ棒は、前記固体顎の収納槽内に設けられ、雄ネジ領域を有し、前記可動顎底部の歯部と互いに噛合している。第１スプリングは、前記ネジ棒と収納槽の内壁との間に設けられる。
【００１１】
シャフトバーは、前記第１スプリングと前記ネジ棒を貫通し、前記ネジ棒が前記第１スプリングを圧縮すると横方向に移動させられる。前記シャフトバーは、ストッパー部を形成している。前記固定顎内に設けられた位置決めセットの頂端は、前記シャフトバーのストッパー部内に係止されて互いに係止状態を構成することができる。ピン末端の前記貫通孔方向の一側には作動部が凸設され、前記固定顎内に設けた当接セットは、前記貫通孔方向に延びて設けられている。
【００１２】
前記貫通孔内に設けられた操作部材は、前記操作部材の両端がそれぞれ前記貫通孔の外部に突出している。また、前記操作部材は前記作動部に対向する位置に第１Ｖ字型当接面を形成している。また前記操作部材の前記当接セットに対向する位置には第２Ｖ字型当接面が形成されている。
前記作動部と前記当接セットとは、それぞれ前記各Ｖ字型当接面の中央転換点に当接し、前記操作部材のうちの一端を押圧すると、前記各Ｖ字型当接面はそれぞれ前記位置決めセットと前記当接セットに当接して移動させ、前記位置決めセットの前記シャフトバーに対する係止を解除することができる。
【図面の簡単な説明】
【００１３】
【図１】本考案の分解斜視概略図。
【図２】本考案の斜視図。
【図３】本考案の側面図。
【図４】本考案の使用状態において、本考案の挟持口が多角形ネジ部材を挟持しているときの状態を示す説明図。
【図５】本考案の使用状態において、本考案の操作部材を押圧しているときの状態を示す説明図。
【図６】本考案の使用状態において、本考案の操作部材を押圧すると共にレンチを逆方向に回動した状態を示す説明図。
【図７】従来のラチェットレンチの平面図。
【図８】従来のラチェット機能を具えたレンチの断面図。
【考案を実施するための形態】
【００１４】
以下、本考案の一実施形態を図面に基づいて説明する。
（一実施形態）
【００１５】
図１から図３に示すように、本形態は、主に固定顎１、可動顎２、ネジ棒３、シャフトバー４、位置決めセット５、当接セット６及び操作部材７から構成されたラチェットレンチである。
【００１６】
固定顎１は収納槽１１を有する。収納槽１１の上方には収納槽１１に通じるスライド１２を有し、収納槽１１の一側には横方向に挿通孔１３が貫設されている。挿通孔１３内には孔１４を半径方向に開設し、固定顎１の収納槽１１に対向する下方位置には貫通孔１５を開設している。また、固定顎１の孔１４と異なる一側に補助孔１６を横方向に設けており、孔１４と補助孔１６はそれぞれ貫通孔１５と連通している。
【００１７】
可動顎２は固定顎１のスライド１２内に設けられ、スライド１２に沿って横移動することができる。これによって、可動顎２と固定顎１との間に間隔が変更可能な挟持口２１を形成すると共に、可動顎２の底部に歯部２２を形成する。
【００１８】
ネジ棒３は固定顎１の収納槽１１内に設置され、ネジ棒３は雄ネジ領域３１を有する。ネジ棒３の雄ネジ領域３１は可動顎２の底部の歯部２２と互いに噛合して、ネジ棒３が回動すると可動顎２を横移動させて挟持口２１の間隔の寸法を調整する。ネジ棒３と収納槽１１の内壁との間には第１スプリング３２が設けられている。
【００１９】
シャフトバー４は挿通孔１３から第１スプリング３２とネジ棒３を貫通して、係止リング４１で係止することによって、ネジ棒３と接し、シャフトバー４をネジ棒３に連動させて第１スプリング３２を圧縮して横方向に移動させることができる。シャフトバー４は孔１４に対向する位置にストッパー部４２を凹状に形成し、シャフトバー４は可動顎２の歯部２２方向の一側に当接面４３を有し、当接面４３はストッパー部材４４と互いに当接してシャフトバー４がネジ棒３に伴って回転するのを制限することができる。
【００２０】
位置決めセット５は孔１４内に設けられている。位置決めセット５は第２スプリング５１とピン５２を含み、第２スプリング５１は孔１４の底部に設けてピン５２の末端に当接し、ピン５２の頂端をシャフトバー４のストッパー部４２内に係止させて互いに係止状態を構成している。また、ピン５２の末端は貫通孔１５方向の一側に作動部５２１を凸設する。
【００２１】
当接セット６は補助孔１６内に設けられ、当接セット６は順番に当接部材６１、第３スプリング６２及びネジキャップ６３を含み、当接部材６１は第３スプリング６２に当接されて貫通孔１５方向に延びて設けられている。
【００２２】
操作部材７は貫通孔１５と互いに対応して組合された態様を構成する。操作部材７は貫通孔１５内に収納することができ、操作部材７の軸の長さは貫通孔１５の深度より長い。操作部材７を貫通孔１５に収納させると、操作部材７の両端はそれぞれ貫通孔１５の外部に凸伸して、操作部材７はピン５２の作動部５２１に対向する位置に第１Ｖ字型当接面７１を形成する。また、操作部材７は当接部材６１に対向する位置に第２Ｖ字型当接面７２を形成して、各Ｖ字型当接面７１、７２はそれぞれ第１傾斜領域７１１、７２１と第２傾斜領域７１２、７２２を有する。作動部５２１と当接部材６１とはそれぞれ各Ｖ字型当接面７１、７２の第１傾斜領域７１１、７２１と第２傾斜領域７１２、７２２の中央転換点に当接することから、ユーザーが操作部材７のうちの一端を押圧すると、各Ｖ字型当接面７１、７２はそのうちの傾斜領域をピン５２の作動部５２１と当接部材６１に当接して移動させ、ピン５２の頂端をシャフトバー４のストッパー部４２から離脱させてシャフトバー４の係止状態を解除することができる。
【００２３】
ユーザーが多角形ネジ部材８を締め付けようとするとき、図４に示すように、まずネジ棒３を回動させて挟持口２１の間隔を調整して、多角形ネジ部材８を挟持する。このとき、シャフトバー４とピン５２は互いに係止状態を構成することから、挟持口２１は固定間隔を維持することができ、これによってスムースに多角形ネジ部材８の締め付け作業を行うことができる。
【００２４】
ユーザーが逆方向にレンチの向きを変えようとするとき、図５、図６に示すように、ユーザーは親指で貫通孔１５から露出した操作部材７の端面を押圧しさえすれば、操作部材７の第１Ｖ字型当接面７１の第１傾斜領域７１１によってピン５２の作動部５２１に対して当接動作を行うことができると共に、ピン５２１の頂端をシャフトバー４のストッパー部４２から離脱させてシャフトバー４の係止状態を解除することができる。同様の原理で、ユーザーが施工環境によってレンチを反転して使用しなければならない場合、ユーザーは同様に操作部材７の別の端面を親指で押圧することができ、操作部材７の第１Ｖ字型当接面７１は第２傾斜領域７１２でピン５２の作動部５２１に対して当接動作を行うため、レンチを反転させることで操作部材７を押圧し難い状況が起きることがない。
【００２５】
当接セット６の当接部材６１は操作部材７の他側の第２Ｖ字型当接面７２に当接するため、操作部材７を押圧すると、図６に示すように、操作部材７の第２Ｖ字型当接面７２の第１傾斜領域７２１もまた当接部材６１に当接して第３スプリング６２を圧縮する動作を行う。操作部材７はさらにピン５２の作動部５２１と当接部材６１が異なる側面にある当接作用により、ユーザーは操作部材７を押圧すると一層安定する。また、可動顎２の前端が多角形ネジ部材８の鈍角に当接すると、可動顎２をシャフトバー４が連動するネジ棒３と一緒に外側に押しやり、収納槽１１内の第１スプリング３２がネジ棒３に圧迫されて圧縮状態を呈する（図６参照）。こうして挟持口２１の間隔を僅かに開けて逆方向に前記レンチの向きを変えることができ、前記レンチが多角形ネジ部材８の別の２つの対向する挟持面まで回動すると、ネジ棒３は第１スプリング３２の回復弾力で当接して、可動顎２を移動させて挟持口２１を縮小する。
【００２６】
ユーザーが親指を操作部材７から外して押圧状態を解除すると、ピン５２は第２スプリング５１の回復弾力によって動かされて再度シャフトバー４のストッパー部４２内に係止される（図４参照）。このとき操作部材７は第２スプリング５１に動かされたピン５２の作動部５２１に当接して、再度押圧していないときの位置までリカバリする。このようにして、再度多角形ネジ部材８を締付ける動作を行うことができる。また上記動作を絶えず繰り返すと一方向に連続して締付け動作を完了させることができ、何度も外したり嵌めたりするなどの反復動作を省略することができ、楽に多角形ネジ部材８を締付ける動作を完遂させることができる。さらに、ピン５２の作動部５２１と当接部材６１とが操作部材７の異なる側面にある当接作用を提供できることによって、操作部材７がリカバリ動作を行う際に、同様に安定した状態を保つことができる。
【００２７】
また、操作部材と前記貫通孔は互いに組み合わされた態様を構成しているので、埃や夾雑物が落ちるのを一層効果的に防止し、後日引っ掛かる状況が起きないようにして耐用年数を延ばすことができる。
【符号の説明】
【００２８】
１：固定顎、１１：収納槽、１２：スライド、１３：挿通孔、１４：孔、１５：貫通孔、１６：補助孔、２：可動顎、２１：挟持口、２２：歯部、３：ネジ棒３１：雄ネジ領域、３２：第１スプリング、４：シャフトバー、４１：係止リング、４２：ストッパー部、４３：当接面、４４：ストッパー部材、５：位置決めセット、５１：第２スプリング、５２：ピン、５２１：作動部、６：当接セット、６１：当接部材、６２：第３スプリング、６３：ネジキャップ、７：操作部材、７１：第１Ｖ字型当接面、７２：第２Ｖ字型当接面、７１１、７２１：第１傾斜領域、７１２、７２２：第２傾斜領域、８：多角形ネジ部材、９１：ローラ、９２：可動顎、９３：スプリングブロック、９３１：ストッパー部、９４：圧縮スプリング、９５：弾性片、９５１凸部、９６：ハンドル、９７：狭く細長いスペース、９８：凹部、９８１：底面
【図１】
0003155107.tif 000003
【図２】
0003155107.tif 000004
【図３】
0003155107.tif 000005
【図４】
0003155107.tif 000006
【図５】
0003155107.tif 000007
【図６】
0003155107.tif 000008
【図７】
0003155107.tif 000009
【図８】
0003155107.tif 000010